(57)【要約】企業のホーム・ページまたはポータルに関連して格納された企業の取扱品目のような大量の情報を、データ・ベース（２）またはこれに対応する装置から１つ以上のパーソナル・コンピュータ（１）またはこれに対応する装置に送信する方法において、前述のパーソナル・コンピュータ（１）は、インターネットのような通信ネットワーク（５）を介してサーバ（６）形態のコンピュータを含む前述のデータ・ベース（２）に接続することができ、該データ・ベースは前述の情報を含み、ユーザはそのような接続中にパーソナル・コンピュータ（１）を介して情報を要求でき、ＤＡＢ無線ネットワークのように送信速度の高いディジタル・ネットワーク（７−１０）は、前述の被要求情報を送信するようにされ、前述の情報は、ユーザ所有の受信機（８）によって受信されるようにされ、データ・ベース（２）の中の被要求情報には識別コードが付与され、識別コードは前述の受信機（８）に送信され、前述の受信機は、前述の識別コードに関して前述の受信ＤＡＢ信号を分析するようにされる。本方法は、前述のパーソナル・コンピュータ（１）と前述のサーバ（６）との間に、所謂プロクシサーバを備えることを特徴とし、該プロクシサーバ（４）は、選択的に、前述の収集情報を前述の送信手段（７）に転送し、該送信手段（７）は該情報を前述のディジタル・ネットワーク（７−１０）を介して送信し、該情報は前述の受信機（８）で受信できるようにされるか、あるいは別の方法として、前記プロクシサーバはサーバ（６）とパーソナル・コンピュータ（１）との間で情報交換を行うようにトランスペアレントにされる。
2006521631.tif 000002
【特許請求の範囲】
【請求項１】
企業のホーム・ページまたはポータルに関連して格納された企業の取扱品目のような大量の情報を、データ・ベース（２）または対応する装置から１つ以上のパーソナル・コンピュータ（１）または対応する装置に送信する方法において、前記パーソナル・コンピュータ（１）は、インターネットのような通信ネットワーク（５）を介してサーバ（６）形態のコンピュータを含む前記データ・ベース（２）に接続することができ、該データ・ベースは前記情報を含み、ユーザはこのような接続中にパーソナル・コンピュータ（１）を介して情報を要求でき、ＤＡＢ無線ネットワークのように送信速度の高いディジタル・ネットワーク（７−１０）は、前記要求された情報を送信するようにされることができ、該情報は、ユーザ所有の受信機（８）によって受信されるようにされ、データ・ベース（２）の中の要求された情報は識別コードが付与されて前記受信機（８）に送信され、該受信機は、前記識別コードに関して前記受信ＤＡＢ信号を分析するようにされ、前記方法は、前記パーソナル・コンピュータ（１）と前記サーバ（６）との間に、所謂プロクシサーバを備えることを特徴とし、該プロクシサーバ（４）は、選択的に、収集された情報を前記送信手段（７）に転送するようにされ、該送信手段（７）が前記情報を前記ディジタル・ネットワーク（７−１０）を介して送信し、前記情報を前記受信機（８）で受信することができるようにするか、あるいは代替として、前記プロクシサーバは、サーバ（６）とパーソナル・コンピュータ（１）との間で情報交換を行うようにトランスペアレントにされ、前記サーバ（６）から要求された情報を前記ネットワーク（７−１０）および前記プロクシサーバを介して前記受信機（８）に転送することが選択された場合、前記プロクシサーバ（４）は、サーバ（６）からのパーソナル・コンピュータ（１）に対する情報の要求に応答して前記サーバ（６）から前記情報をフェッチし、これによって、前記情報が完全であること、すなわち全ての情報のパケットが受信されたことを確認するようにされ、さらに前記プロクシサーバは収集された完全な情報を格納して、該情報を前記送信手段（７）に転送するようにされる方法。
【請求項２】
請求項１記載の方法であって、前記パーソナル・コンピュータ（１）からサーバ（４）への通信リンクがあってもその影響を受けることなく、前記無線ネットワーク（７−１０）を介して情報の送信を実行させ、さらに受信された情報が前記パーソナル・コンピュータ（１）に送られるようにすることを特徴とする方法。
【請求項３】
請求項１または２に記載の方法であって、前記情報を前記サーバ（６）からフェッチして前記プロクシサーバ（４）に渡す前に前記選択を行うことを特徴とする方法。
【請求項４】
請求項１、２または３に記載の方法であって、前記パーソナル・コンピュータ（１）が要求した特定の情報を含む情報ブロックの形態で、前記情報が送信されるようにすることを特徴とする方法。
【請求項５】
請求項１、２、３または４に記載の方法であって、前記要求された情報が所定の時点にまたはできるだけ速やかに送信されるようにし、さらにパーソナル・コンピュータ（１）が要求した情報がいつ送信されるかに関するメッセージを、前記パーソナル・コンピュータ（１）に向けて、前記プロクシサーバ（４）に送信させることを特徴とする方法。
【請求項６】
請求項１乃至請求項５のいずれかに記載の方法であって、前記ディジタル・ネットワークはＤＡＢ無線ネットワークであることを特徴とする方法。
【発明の詳細な説明】
【技術分野】
【０００１】
本発明は大量の情報をパーソナル・コンピュータまたは対応するある装置に転送する方法に関するものである。
【発明の開示】
【発明が解決しようとする課題】
【０００２】
大量の情報をパーソナル・コンピュータまたは対応するある装置に、さらに特定すれば、モデムを介して所定の企業またはデータ・ベースに接続が可能なパーソナル・コンピュータに転送することに伴う課題の１つは、かかる情報のパーソナル・コンピュータへの送信実行は、比較的長い時間がかかることである。これは、ユーザが所望する情報に関連する接続時間および応答時間が長いこと意味している。
【０００３】
この点に関する一例は、インターネット・ショッピング、すなわち所謂ネットワーク商取引である。非常に多くの商品を取り揃え、これらを写真または図で表示している企業と、ある人がインターネットを介して取引をしたいと思った場合、転送されてくる全情報量は極めて大きなものである。たとえその情報が、単に、例えば衣類または家具といった特定の商品群に関するものであったとしても。
【０００４】
別の例は、音楽ファイル、映画ファイル、またはソフトウエアといった、いくつかの別の種類の大きなファイルをダウンロードしたいと思うユーザにある。
【０００５】
課題は、このように、かかる情報を企業からユーザに転送するのに極めて長い時間がかかることである。
【０００６】
別の課題は、所望の商品、例えば、衣料品の選択にユーザが時間を取られている間、ユーザはその企業と接続していなければならないことである。実際の情報の送信にかかる時間に加えて、商品選択中にユーザが接続していなければならない時間もまた非常に長い。
【課題を解決するための手段】
【０００７】
これらの課題は本発明によって解決される。
【０００８】
従って、本発明は、その企業のホーム・ページまたはポータル（ｐｏｒｔａｌ）に関連して格納された企業の取扱品目のような大量の情報を、データ・ベース等から、１つ以上のパーソナル・コンピュータまたは対応する装置に送信する方法に関するものであって、前述のパーソナル・コンピュータは、サーバ形態のコンピュータを含むデータ・ベースと、インターネットのような通信ネットワークを介して接続することができる。該データ・ベースは前述の情報を含み、ユーザはこの接続の間に、パーソナル・コンピュータを介して情報を要求できる。所謂ＤＡＢ無線ネットワークのような送信速度の高いディジタル・ネットワークは、被要求情報を送信するようにされることができ、これによって当該情報は、ユーザがアクセスすることができる受信機によって受信される。データ・ベースに保持された被要求情報は識別コードが付与され、識別コードは前述の受信機に送信される。受信機は、前述の識別コードに関して受信ＤＡＢ信号を分析するようにされる。本方法は、パーソナル・コンピュータと前述のサーバとの間に、所謂プロクシサーバを備え、該プロクシサーバに選択的につぎのようにさせることを特徴とする。すなわち、収集した情報を送信手段に転送し、送信手段が該情報を無線ネットワークを介して送信し、前述の受信機でこの情報を受信できるようにするか、あるいは、代替として、サーバとパーソナル・コンピュータとの間で情報交換を行うようにプロクシサーバはトランスペアレントにされる。サーバからのパーソナル・コンピュータに対する特定の情報の要求に応答して、前述のネットワークを介し、前述のプロクシサーバによって、前述のサーバから要求された情報を前述の受信機に送信することが選択されると、前述のプロクシサーバはサーバからこの情報をフェッチ（ｆｅｔｃｈ）し、これによって情報が完全であること、すなわち全ての情報パケットが得られたことを確認し、プロクシサーバはフェッチした完全な情報を格納し、該情報を送信手段に転送するようにされる。
【０００９】
これより、添付図面を一部参照して、本発明の例示の実施形態をさらに詳細に説明する。
【００１０】
以下の部分では、本発明を非常に幅広く品揃えした企業に関するネットワーク商取引、すなわちネットワーク・ショッピングに関連して説明するが、本発明は、また、別の形態の情報、すなわちユーザが製品またはサービスを選別、選択または発注する際に必要な大量の情報の送信にも関連し得ることは理解されよう。
【００１１】
図１は、企業のホーム・ページまたはポータルに関連して格納された企業の製品品目のような大量の情報を、データ・ベース２等からパーソナル・コンピュータ１または一部の対応する装置へ送信する方法を示す。パーソナル・コンピュータ１は、インターネットのような通信ネットワーク５を介して、前述の情報が入っているコンピュータ６を含むデータ・ベース２と接続することができ、接続中、ユーザはパーソナル・コンピュータ１を介して情報を要求できる。
【００１２】
プロクシサーバ４は、データ・ベース２の中に含まれる被要求情報（ｒｅｑｕｅｓｔｅｄ  ｉｎｆｏｒｍａｔｉｏｎ）に識別コードが確実に付されるようにされ、識別コードは受信機８に送信されるようにする。識別コードは、通信ライン３を介して都合よくパーソナル・コンピュータ１に送信され、さらにパーソナル・コンピュータ１から受信機８に送信される。
【００１３】
パーソナル・コンピュータ１は、モデムまたは対応する装置手段を介して通信ライン３に接続される。
【００１４】
受信機８は、前述の識別コードに関して、受信ＤＡＢ信号を分析する。被要求情報は、前述のサーバ６によって、プロクシサーバ４および前述のＤＡＢネットワークを介して前述の受信機８に送信される。受信機８は、自身が識別コードを受信した後、前述の情報を受信し始める。この情報が実際に受信されているとき、パーソナル・コンピュータ１とサーバ６との間の通信リンクは動作していない。従って、前述の情報の受信中、パーソナル・コンピュータ１とサーバ６との間で相互作用（ｉｎｔｅｒａｃｔｉｏｎ）は行われない。このようにして受信された情報は、次に受信機８からパーソナル・コンピュータ１に送信されるようにされる。
【００１５】
ＤＡＢ無線ネットワークを介しての送信レートは、現在、実に毎秒１．５Ｍｂｉｔｓの大きさである。これによって、大量の情報を、データ・ベース２からパーソナル・コンピュータ１にきわめて短時間で送信できる。
【００１６】
インターネットからダウンロードする際の通常の手順には、データ・ファイルを分割してパケットにした、そのパケットが、正しいアドレスに到達することを絶えず確認することがある。従って、ダウンロード中は、終始、パーソナル・コンピュータ１とサーバ６との間の接続のように双方向接続されている必要がある。
【００１７】
本発明によれば、ＤＡＢネットワークは、前述の情報の実際の送信中だけに用いられ、このモードにおけるこのシステムは、ユーザのコンピュータと前述のデータ・ベースとの間の接続から影響を受けない状態でのＤＡＢ送信機とＤＡＢ受信機との間の一方向の接続から成る。しかし、ＤＡＢ送信に関連して、パーソナル・コンピュータ１をオンにすることは必要な場合がある。それは情報を含んだパケットが全て受信されたことを確認し、もし全部受信していない場合は欠落したパケットを捜索するためである。
【００１８】
従って、本発明に従って、パーソナル・コンピュータ１とサーバ６との間に、所謂プロクシサーバである、別のサーバ４を設ける。サーバ６からパーソナル・コンピュータ１に対し、ある情報が要求されると、プロクシサーバ４はこの情報をサーバ６からフェッチするようにされ、これによって情報が完全である、すなわち情報を含んだ全てのパケットが得られたことを確認する。プロクシサーバは、サーバからフェッチしたこの完全な情報を格納するようにされる。
【００１９】
また、プロクシサーバは、選択的に、フェッチした情報を送信手段７に送り、送信手段７はこの情報を送って、受信機８で受信できるようにするか、または、代替として、サーバ６とパーソナル・コンピュータ１との間で情報の交換できるようにトランスペアレントであるようになされる。
【００２０】
情報転送方法の選択は、少なくともパーソナル・コンピュータ１から行うことができる。この選択は、前述の情報がサーバ６から収集されプロクシサーバ４に渡される前に行われる。
【００２１】
サーバ６からフェッチされる情報はプロクシサーバ４には明示されているので、パーソナル・コンピュータ１への情報の転送がＤＡＢ送信を介して行うことが選択された場合、パーソナル・コンピュータ１の動作は不要である。従って、２つの通信コンピュータ間での双方向通信は、サーバ６とプロクシサーバ４との間においてのみ必要となる。
【００２２】
プロクシサーバ４は、コンピュータ・サービスまたはインターネット・オペレータを提供する会社ロケーションといった、適切などこにでも配置することができる。
【００２３】
ＤＡＢ技法による一方のコンピュータ６から別のコンピュータ１への情報の転送に必要とされる技術は、スウエーデン特許明細書第９７０４１０１−６号の中に記述されている。
【００２４】
前述の明細書の中で記述される発明は、簡単に述べると、送信コンピュータからの情報がＤＡＢ送信機７を介して送信１１される前にこれを保存する中間記憶装置に関するものであって、この情報は一般に連続的に転送される。この情報は、ＤＡＢ受信機によって受信され、受信コンピュータに送られる前に、前述の受信機の中に中間的に保存される。
【００２５】
送信機および受信機にはそれぞれのアンテナ９、１０が備えられている。
【００２６】
この事例では、送信手段７はＤＡＢ送信機のほかに、コンピュータ６からプロクシサーバ４を介して情報を受信し、前述の情報を中間的に格納し、さらにこの情報を送信するために必要な回路を備える。これに対応して、受信手段８は、送信された情報を受信し、それを中間的に記憶し、さらにそれをパーソナル・コンピュータ１に送信するための回路を備える。
【００２７】
情報は一斉に送信される（ｂｒｏａｄｃａｓｔｅｄ）ので、無制限の数の異なる受信機、または少なくとも多数の異なる受信機が同時に情報を受信できる。従って、この技法を効果的に利用するためには、いくつかの受信機が同じ情報を同一の時間に受け取るのが有利である。
【００２８】
好適な一実施形態によれば、被要求情報は或る時刻に、またはできるだけ速やかに送信されるようにされる。別の実施形態によれば、パーソナル・コンピュータが情報を要求した場合、プロクシサーバ４は、その情報がいつ送信されるかに関するメッセージをパーソナル・コンピュータに送信するようにされる。
【００２９】
インターネット・ショッピングを一例として挙げると、人は自分のパーソナル・コンピュータ、モデム等を介して企業のホーム・ページに接続し、その企業が提供する商品に目を通すことができる。例えば、写真表示した家具関連の提供可能商品総覧を送信しようとすると、前述の接続中に時間が長くかかりすぎてオプションは魅力がなくなってしまう。本発明によって、例えば、人はその会社の全カタログを送るように依頼できる。次に、その人は、そのカタログがその日の或る時刻に送られることを告知される。その人は、その日の当該時刻に受信機８がスイッチ・オンされることを確認するだけでよい。
【００３０】
この情報が受信され、さらにパーソナル・コンピュータ１に格納されると、その人は当該企業と接続せずに、種々の家具をゆっくりと検討できる。それによって、その人は所望の家具を選択し、次にこの企業に接続して発注することができる。
【００３１】
値引き売り出し中の様々の商品や製品がパーソナル・コンピュータにダウンロードされていると、これらの商品に素早く目を通せることは明らかである。その上、商品検討の全期間中、その企業と接続する必要がないため、結果としてコストは低減される。
【００３２】
本発明の別の好適な実施形態によれば、送信される情報は、特定情報の要求が含まれた情報ブロックの形式が施される。例えば、当事者は情報の全部を送ってほしいとは思っていない場合もある。例えば、当該情報が旅行情報に関し、その人は地中海沿岸国のような所定の地域だけに関心がある場合がある。この例では、旅行代理店は、異なる時間の異なる地域を対象とした情報を送り、提供する旅行全体の情報は、別の機会に送信することができる。本発明の方法によって大量の情報を送信できるので、所定の休暇旅行先、すなわち休暇行楽地に関し送信可能な情報量は、パンフレットの中に組み込可能な情報量よりもはるかに大きい。
【００３３】
また、本発明の方法は、先に述べたようなネットワーク・ショッピングすなわちネットワーク商取引のほかに、例えば、新聞紙形式のニュースを前述の方法で送信する場合にも適用可能である。本発明はいずれかの特定の種類の情報を送信することに限定するものではない。
【００３４】
本発明は、序文で言及した課題を解決することは明白である。
【００３５】
ある数の例示の実施形態を参照して本発明を説明してきたが、本発明は前述のＤＡＢシステム以外の送信システムにも適用可能であることは理解されよう。但し、そのシステムは高速のディジタル放送システムであることが必要である。別のそのようなシステムは、衛星を利用したシステムとすることができる。
【００３６】
上述したように、本発明は前述の例示の実施形態に限定されることなく、添付の特許請求の範囲内で変更することが可能であることは理解されよう。
【図面の簡単な説明】
【００３７】
【図１】図１は、本発明を説明するブロック図である。
【図１】
2006521631.tif 000003
【手続補正書】
【提出日】平成17年2月22日(2005.2.22)
【手続補正１】
【補正対象書類名】特許請求の範囲
【補正対象項目名】全文
【補正方法】変更
【補正の内容】
【特許請求の範囲】
【請求項１】
企業のホーム・ページまたはポータルに関連して格納された企業の取扱品目のような大量の情報を、データ・ベース（２）またはこれに対応する装置から１つ以上のパーソナル・コンピュータ（１）またはこれに対応する装置に送信する方法において、前記パーソナル・コンピュータ（１）は、インターネットのような通信ネットワーク（５）を介してサーバ（６）形態のコンピュータを含む前記データ・ベース（２）に接続することができ、該データ・ベースは前記情報を含み、ユーザはこのような接続中にパーソナル・コンピュータ（１）を介して情報を要求でき、送信手段（７）および受信機（８）を含むＤＡＢ無線ネットワークのように送信速度の高いディジタル・ネットワーク（７−１０）は、前記要求された情報を送信するようにされることができ、該情報は、ユーザ所有の受信機（８）によって受信されるようにされ、データ・ベース（２）の中の被要求情報は識別コードが付与されて前記受信機（８）に送信され、該受信機は、前記識別コードに関して前記受信ＤＡＢ信号を分析するようにされ、前記方法は、前記パーソナル・コンピュータ（１）と前記サーバ（６）との間、前記サーバ（６）と前記送信手段（７）との間に、所謂プロクシサーバを備えることを特徴とし、該プロクシサーバ（４）は、選択的に、収集された情報を前記送信手段（７）が転送するようにされ、該送信手段（７）が前記情報を前記ディジタル・ネットワーク（７−１０）を介して送信し、前記情報を前記受信機（８）で受信することができるようにするか、あるいは代替として、前記プロクシサーバは、サーバ（６）とパーソナル・コンピュータ（１）との間で情報交換を行うようにトランスペアレントにされ、前記サーバ（６）から要求された情報を前記ネットワーク（７−１０）および前記プロクシサーバを介して前記受信機（８）に転送することが選択された場合、前記プロクシサーバ（４）は、サーバ（６）からのパーソナル・コンピュータ（１）に対する情報の要求に応答して前記サーバ（６）から前記情報をフェッチし、これによって、前記情報が完全であること、すなわち全ての情報のパケットが受信されたことを確認するようにされ、さらに前記プロクシサーバは収集された完全な情報を格納して、該情報を前記送信手段（７）に転送するようにされる方法。
【請求項２】
請求項１記載の方法であって、前記パーソナル・コンピュータ（１）からサーバ（４）への通信リンクがあってもその影響を受けることなく、前記無線ネットワーク（７−１０）を介して情報の送信を実行させ、さらに受信された情報が前記パーソナル・コンピュータ（１）に送られるようにすることを特徴とする方法。
【請求項３】
請求項１または２に記載の方法であって、前記情報を前記サーバ（６）からフェッチして前記プロクシサーバ（４）に渡す前に前記選択を行うことを特徴とする方法。
【請求項４】
請求項１、２または３に記載の方法であって、前記パーソナル・コンピュータ（１）が要求した特定の情報を含む情報ブロックの形態で、前記情報が送信されるようにすることを特徴とする方法。
【請求項５】
請求項１、２、３または４に記載の方法であって、前記要求された情報が所定の時点にまたはできるだけ速やかに送信されるようにし、さらにパーソナル・コンピュータ（１）が要求した情報がいつ送信されるかに関するメッセージを、前記パーソナル・コンピュータ（１）に向けて、前記プロクシサーバ（４）に送信させることを特徴とする方法。
【請求項６】
請求項１乃至請求項５のいずれかに記載の方法であって、前記ディジタル・ネットワークはＤＡＢ無線ネットワークであることを特徴とする方法。
【国際調査報告】
2006521631.tif 000004
2006521631.tif 000005
2006521631.tif 000006